(57)【要約】      （修正有）【課題】二つの観察手段が利用可能な撮影装置において、通信の設定に情報を表示する際、その情報が外部機器から容易に撮影出来る撮影装置を提供する。【解決手段】撮影装置２００は、撮影レンズ１００と、被写体像を電気信号へ変換する撮像素子２０４と、接眼レンズ２１８ｃを介して被写体像の観察が可能なビューファインダ２１８と、被写体像を表示する撮影装置の背面に設けられた背面表示部２２２と、背面表示部から所定距離以内に物体が在るか検知する接眼検出部２２０と、無線モードを選択する選択ＳＷと、外部機器と通信を行うＷＬＡＮ通信回路ｄ２１６と、接眼検出部の検知結果に応じてビューファインダと背面表示部を用いた観察動作の禁止と許可を制御するシステムコントローラ２０２とを有する。該システムコントローラは、無線モードが選択されると、接眼検出部の動作を禁止し、背面表示部への通信設定情報を表示すると共にＷＬＡＮ通信回路を制御して外部機器と通信可能な状態を設定する。【選択図】図２
0003182125.tif 000002
【実用新案登録請求の範囲】
【請求項１】
撮影機能を有した外部機器と無線通信が可能な撮影装置において、
被写体像を形成する撮影レンズと、
上記被写体像を電気信号へ変換する撮像素子と、
接眼レンズを介して上記被写体像の観察が可能なビューファインダと、
上記電気信号に基づき上記被写体像を表示する表示部であって、上記撮影装置の背面に設けられた背面表示部と、
上記背面表示部から所定距離以内に物体が在るか否かを検知する接眼検出部と、
上記外部機器と無線通信する無線モードの設定と解除を行う操作ＳＷと、
上記外部機器と通信を行うＷＬＡＮ通信回路と、
上記接眼検出部の検知結果に応じて上記ビューファインダと上記背面表示部を用いた観察動作の禁止と許可とを制御するシステムコントローラと
を有し、
上記システムコントローラは、上記操作ＳＷの操作により無線モードが設定されると、上記接眼検出部の動作を禁止し、上記背面表示部に上記外部機器が取得する通信設定情報を表示すると共に上記ＷＬＡＮ通信回路を制御して上記外部機器と通信可能な状態を設定することを特徴とする撮影装置。
【請求項２】
上記ビューファインダは、上記接眼レンズを介して観察可能なＥＶＦ表示素子を有し、
上記システムコントローラは、上記ビューファインダを用いた観察動作を許可する場合、上記ＥＶＦ表示素子へ上記被写体像を表示する動作を許可し、上記ビューファインダを用いた観察動作を禁止する場合、上記ＥＶＦ表示素子へ上記被写体像を表示する動作を禁止することを特徴とする請求項１に記載の撮影装置。
【請求項３】
上記ビューファインダは、上記撮影レンズの光路外に設けられた第一の位置と上記撮影レンズの光路中に設けられた第二の位置とに設定できる可動ミラーを有し、
上記システムコントローラは、上記ビューファインダを用いた観察動作を許可する場合、上記可動ミラーを上記第二の位置へ設定し上記撮影レンズの光束を上記接眼レンズへ導き、上記ビューファインダを用いた観察動作を禁止する場合、上記可動ミラーを上記第一の位置へ設定し上記撮影レンズの光束を上記撮像素子導くことを特徴とする請求項１に記載の撮影装置。
【請求項４】
上記接眼検出部は、上記所定距離として明視距離の１／３が設定されていることを特徴とする請求項２及び３に記載の撮影装置。
【請求項５】
上記システムコントローラは、上記通信設定情報を２次元バーコードに変換して上記背面表示部へ表示することを特徴とする請求項４に記載の撮影装置。
【請求項６】
通信パラメータを記憶した不揮発性メモリを有し、
上記システムコントローラはＷＬＡＮ通信回路と通信して上記通信パラメータを上記不揮発性メモリから読み出し、上記通信設定情報として設定することを特徴とする請求項５に記載の撮影装置。
【考案の詳細な説明】
【技術分野】
【０００１】
本考案は、無線通信機能を有する撮影装置に関する。
【背景技術】
【０００２】
撮影装置は、既に撮影された画像を表示するため、これから撮影する被写体像を表示するため、或は動作状態を示す情報を表示するため、等に使用される表示部を有する。さらに一部の撮影装置は、ユーザの利便性を向上するために２つの表示部を有する。例えば、第一の表示部は撮影装置の外装（主に背面）に配置された表示部であり、第二の表示部は接眼レンズを介して観察可能な表示部である。ユーザは接眼レンズを覗き込むことによって第二の表示部を観察可能である。
【０００３】
特許文献１に開示された撮影装置は、第一の表示部と第二の表示部のいずれをユーザが利用しているかを検出して、いずれか一方の表示部を利用可能に制御している。このために撮影装置は、接眼レンズの近傍に近接検出部を有し、この近接検出部の出力に基づきユーザが接眼レンズを覗いているか（第二の表示部を利用しているか）を検出できる。この撮影装置は、ユーザが第二の表示部を利用している場合に第二の表示部の動作を許可し、ユーザが第二の表示部を利用していない場合に第一の表示部の動作を許可する。すなわちこの撮影装置は、ユーザに対して二つの観察手段を提供すると共にユーザの観察形態の検出結果に応じて二つの観察手段の動作を制御する。
【０００４】
撮影装置で撮影された画像は、一般に撮影装置に装着されたメモリカード（記憶媒体）へ記憶される。ユーザは、この画像をコンピュータ等の外部機器で利用したい場合、例えばカードリーダ等を利用してメモリカード中の画像をコンピュータへ移動する。或は撮影装置とコンピュータとを通信ケーブル（例えばＵＳＢケーブル）で接続することで、画像は撮影装置からコンピュータへ送信される。さらに一部の撮影装置は、ユーザの利便性を向上するために無線ＬＡＮ（Local Area Network）等の無線通信機能を有している。無線ＬＡＮの規格として、ＩＥＥＥ（The Institute of Electrical and Electronic Engineers , Inc.）８０２．１１規格が公知である。
【０００５】
無線ＬＡＮには、２つの通信方式がある。インフラストラクチャ（Infrastructure）方式では、アクセスポイント（Access Point）と呼ばれる無線ＬＡＮの中継局を中継して通信が行われる。アドホック（Ad Hoc）方式では、機器同士はアクセスポイントを用いることなく直接通信を行う。いずれかの方式で、撮影装置と外部機器とが通信することを想定する。このとき撮影装置と外部機器のそれぞれには同一のパラメータ（SSID（Service Set ID）、WEP（Wired Equivalent Privacy）Key等）が設定されなければならない。ＳＳＩＤとは、無線ＬＡＮで特定のネットワークを指定するための識別子である。撮影装置と外部機器のＳＳＩＤとして共通の文字列が指定される。撮影装置と外部機器の間で通信されるデータは共通鍵暗号方式により暗号化される。この暗号化に必要な暗号鍵がＷＥＰ Ｋｅｙである。
【０００６】
予め撮影装置にＳＳＩＤとＷＥＰが設定（記憶）されている場合、これら情報は何らかの方法で外部機器へ設定されなければならない。一般的な方法は、これら情報を撮影装置に表示し、ユーザがこの表示に基づきこれら情報を外部機器へ入力することである。表示方法は、撮影装置の表示部へこれら情報を表示すること、或は撮影装置の取り扱い説明書に印刷すること、等が考えられる。外部機器がパーソナルコンピュータである場合、ユーザはＫｅｙｂｏｒｄを利用してこれらパラメータを設定できる。しかし外部機器が小型の情報端末（例えば携帯電話、多機能携帯電話）である場合、ユーザは貧弱な設定部材（少ない種類の釦、小さな釦、小さなタッチパネル等）を操作してこれらパラメータを設定しなければならず、この設定を煩わしいものと思うだろう。
【０００７】
特許文献２には、バーコードを利用してこれらパラメータを設定する方法が開示されている。特許文献２には、撮像機器間で無線通信により画像の送受信を行うことが出来る撮像システムが開示されている。このシステムでは、通信に必要な認証情報が一方の撮像機器に画像、文字、バーコードとして表示され、他方の撮像装置はこの表示を撮影することで認証情報を取得して設定する。この方法は、操作釦が少ない機器における煩わしい設定動作からユーザを解放するだろう。
【先行技術文献】
【特許文献】
【０００８】
【特許文献１】特開２００４−１８６７２１
【特許文献２】特開２００８−２６９４８６
【考案の概要】
【考案が解決しようとする課題】
【０００９】
ところが、特許文献２の方法を用いて特許文献１の撮影装置に設定されているパラメータを外部機器へ設定しようとすると以下のような問題が起こる。ここで撮像装置と通信を行う外部機器は、撮影機能を有するものと想定する。一般に撮影装置の外装に配置された表示部は小型であり、この表示部を撮影する際には、外部機器を撮影装置へ近接させなければならない。特許文献１の撮影装置が有する近接検出部は、外部機器の撮影装置への近接を検出する。その結果として撮影装置は第一の表示部の表示動作を止め、第二の表示部の表示動作を開始する。この動作はユーザによる観察動作に対しては有益（有効）な動作であるが、外部機器による表示部の撮影動作に対しては無益（無効）な動作である。
【００１０】
本考案は上記問題に鑑みてなされたものであり、二つの観察手段が利用可能な撮影装置において、通信の設定に関係する情報を表示する際、その情報が外部機器から容易に撮影（取得）出来る撮影装置を提供することを目的としている。
【課題を解決するための手段】
【００１１】
本考案の撮影装置は、撮影機能を有した外部機器と無線通信が可能な撮影装置において、被写体像を形成する撮影レンズと、上記被写体像を電気信号へ変換する撮像素子と、接眼レンズを介して上記被写体像の観察が可能なビューファインダと、上記電気信号に基づき上記被写体像を表示する表示部であって、上記撮影装置の背面に設けられた背面表示部と、上記背面表示部から所定距離以内に物体が在るか否かを検知する接眼検出部と、上記外部機器と無線通信する無線モードの設定と解除を行う操作ＳＷと、上記外部機器と通信を行うＷＬＡＮ通信回路と、上記接眼検出部の検知結果に応じて上記ビューファインダと上記背面表示部を用いた観察動作の禁止と許可とを制御するシステムコントローラとを有し、上記システムコントローラは、上記操作ＳＷの操作により無線モードが設定されると、上記接眼検出部の動作を禁止し、上記背面表示部に上記外部機器へ設定される通信設定情報を表示すると共に上記ＷＬＡＮ通信回路を制御して上記外部機器と通信可能な状態を設定する。
【考案の効果】
【００１２】
本考案によれば、二つの観察形態が利用可能な撮影装置において、通信の設定に必要な通信設定情報を表示する際、その情報を外部機器から容易に撮影（取得）出来る撮影装置を提供できる。
【図面の簡単な説明】
【００１３】
【図１】本考案の概略構成を示した図である。
【図２】撮影装置及び交換レンズのブロック構成図である。
【図３】変形例の撮像装置及び交換レンズのブロック構成である。
【図４】接眼検出部のブロック構成図である。
【図５】情報端末のブロック構成図である。
【図６】メインルーチンを説明したフローチャートである。
【図７】サブルーチンを説明したフローチャートである。
【図８】背面表示部の表示形態を示す図である。
【考案を実施するための形態】
【００１４】
図１は、本考案の撮影装置と外部機器とが通信を行う際の構成を示している。
【００１５】
図１に示された撮影装置２００はその背面側（撮影装置を操作するユーザと向き合う面）の外観を示し、情報端末３００は、その正面側の外観を示す。情報端末３００は、多機能携帯電話（smart phone）に代表される機器である。その正面とは表示部材とタッチパネルが配置された面である。撮影装置２００は第一の観察手段としての背面表示部２２２と第二の観察手段としてのビューファインダ（View Finder）２１８を有し、ユーザは必要に応じていずれかの観察手段を利用して被写体像の確認が出来る。接眼検出部２２０はユーザがいずれの観察手段を利用しているか検出する手段である。撮影装置２００はこの検出手段の検出結果に応じて、ビューファインダ２１８と背面表示部２２２の動作を制御する。撮像装置２００は、操作ＳＷ（Switch）として、レリーズＳＷ２１０ａ、電源ＳＷ２１０ｂ、無線モード設定・解除ＳＷ２１０ｃ、十字ＳＷ２１０ｄ等を有する。また背面表示部２２２はタッチパネルを備え、ユーザは画面に表示される部材（仮想の操作ＳＷ）をタッチすることで撮影装置２００を操作できる。情報端末３００は、端末表示部３２８、撮像部３０４、操作ＳＷとしての撮影指令ＳＷ３３０ａ、電源ＳＷ３３０ｂ等を有する。
【００１６】
撮影装置２００と情報端末３００は各々ＷＬＡＮ（Wireless Local Area Network）通信回路を有する。この通信回路は、例えばＩＥＥＥ８０３．１１規格に準拠した方式で通信動作を行う。この規格に限定される必要は無く、無線通信の方式は、ＩｒＤＡ規格，Ｂｌｕｅｔｏｏｔｈ（登録商標）規格，ＩｒＳｉｍｐｌｅ規格、等に準拠した方式を用いてもかまわない。
【００１７】
ユーザは、無線モード設定・解除ＳＷ２１０ｃを操作して撮影装置２００の動作モードとして無線モードを選択（設定）する。すると撮影装置２００の背面表示部２２２には通信パラメータに関する情報を含むコード情報１１のイメージが表示される。このコード情報は１次元のバーコード、２次元のバーコードのいずれでもよい。２次元のバーコードとしては、例えばＱＲコード（登録商標）が用いることが可能である。ＱＲコード以外の２次元コード（ＰＤＦ４１７、Ｍａｘｉ Ｃｏｄｅ、Ｖｅｒｉ Ｃｏｄｅ、等）を用いてもよい。一方情報端末３００のユーザは、ＷＬＡＮによる通信動作を行うために所定のアプリケーションソフト（Application Software）を起動する。情報端末３００のユーザと撮影装置２００のユーザと同一でも異なっていても問題は無い。従って以後、本説明においてユーザは区別されない。このアプリケーションソフト（以後、ソフトと省略して呼ぶ）の動作に必要なプログラムは、予めユーザによって、ウェブブサーバ（Web Server）から情報端末へダウンロード（download）され、インストール（install）されるものとする。
【００１８】
ユーザは、情報端末３００でソフトを起動後、撮影指令ＳＷ３３０ａを操作して撮影装置２００に表示されている情報１１（通信設定情報）の画像を撮影する。この撮影動作中に表示部３２８上にはコード情報１１と同じイメージ１２が表示される。情報端末３００は、撮影された画像のコード情報を復号化し、通信パラメータを取得する。情報端末３００と撮影装置２００の双方に通信パラメータが設定されたことによってＷＬＡＮの通信回線が確立される。
【００１９】
ユーザは情報端末３００を操作して背面表示部２２２上のコード情報１１を撮影する際に、背面表示部２２２の近傍へ情報端末３００の撮像部３０４を近づける。この時、接眼検出部２２０が動作していると、情報端末３００の筐体が接眼検出部２２０の検出領域へ進入する（干渉する）。すると撮像装置２００は、ユーザがビューファインダを使っていると判断し背面表示部２２２の動作を禁止（表示を消灯）してしまう。このような状況ではＷＬＡＮの通信回線を確立（接続）できない。そこで無線モードにおいて撮像装置２００は、接眼検出部２２０の検知動作を止めて（禁止して）背面表示部２２２上のコード情報１１の表示を維持する。この動作の詳細は後述する。
【００２０】
図２は、撮影装置２００及び撮影装置２００に着脱される交換レンズ１００のブロック構成図を示している。
【００２１】
図２に開示された撮影装置２００は、交換レンズ１００が一体化された構成であってもかまわない。撮影装置２００（カメラ本体）は、構成要素として、システムコントローラ２０２、撮像素子２０４、シャッタ２０６、シャッタ駆動部２０８、カメラ操作部２１０、コネクタ２１２、電源回路ｄ２１４、ＷＬＡＮ（Wireless Local Area Network）通信回路ｄ２１６、ＥＥＰＲＯＭ（Electrically Erasable Programmable Read-Only Memory）２３０、ビューファインダ２１８、接眼検出部２２０、背面表示部２２２、メモリカードｄ２２４、ワークメモリｄ２２６、不揮発性メモリｄ２２８、を有する。撮影装置２００の構成要素の名称と情報端末３００の構成要素の名称（図５参照）とが同じになることを防止するために、一部の構成要素の名称は“ｄ”が付されている。交換レンズ２００は、構成要素として、レンズコントローラ１０２、レンズ操作部１０４、レンズ駆動部１０６、絞り駆動部１０８、絞り１１０、撮影レンズ１１２、を有する。
【００２２】
システムコントローラ２０２は、撮影装置２００と交換レンズ１００を統括して制御する制御部である。カメラ操作部２１０は、レリーズＳＷ２１０ａ、電源ＳＷ２１０ｂ、無線モード設定・解除ＳＷ２１０ｃ、十字ＳＷ２１０ｄ等から構成される。ユーザによるこれらＳＷ（Switch）の操作に応じて、システムコントローラ２０２は所定の動作を実行する。撮影レンズ１１２の光束は、撮像素子２０４の撮像面に被写体像を形成する。撮像素子２０４は被写体像（光学像）を電気信号（画像データ）へ変換してシステムコントローラ２０２へ出力する。シャッタ２０６の開閉動作はシャッタ駆動部２０８によって行われる。絞り１１０の駆動は絞り駆動部１０８によって行われる。レンズコントローラ１０２は、コネクタ２１２を介してシステムコントローラ２０２と通信し、システムコントローラ２０２の指令に応じて絞り１１０を制御する。システムコントローラ２０２はシャッタ２０６と絞り１１０を被写体の明るさに応じて制御することで、撮像素子２０４への露光量を制御する。システムコントローラ２０２は、撮像素子２０４が出力する電気信号から被写体のコントラスト値を算出し、コントラスト値に応じて、レンズコントローラ１０２へ撮影レンズ１１２の駆動を指示する。レンズコントローラ１０２はこの指示に応じてレンズ駆動部１０６を制御する。レンズ操作部１０４は撮影レンズ１１２を手動で駆動する際にユーザによって操作される。電源回路ｄ２１４は撮影装置２００内の電池（不図示）の電力を撮影装置２００内部の回路とアクチュエータ、交換レンズ１００内の回路とアクチュエータへ供給する。
【００２３】
ＷＬＡＮ通信回路ｄ２１６は、情報端末３００と通信を行うための回路である。ＷＬＡＮ通信回路ｄ２１６には通信パラメータを記憶したＥＥＰＲＯＭ２３０（不揮発性メモリ）が接続されている。通信パラメータは、ＷＬＡＮにより撮像装置２００と情報端末３００との間で通信回線を開く際に必要な情報である。通信パラメータとして、例えば、ＳＳＩＤ（Service Set Identification）、暗号化ＫＥＹ、ＭＡＣアドレス（Media Access Control address）がＥＥＰＲＯＭ２３０に記憶されている。
【００２４】
ビューファインダ２１８は、電気的に被写体像を観察可能なＥＶＦ（Electronic View Finder）である。図２に示したビューファインダ２１８は撮影装置２００内部に組み込まれているが、着脱自在な構成としてもよい。ビューファインダ２１８は、表示素子駆動回路２ｄ２１８ａ、ＥＶＦ表示素子２１８ｂ、接眼レンズ２１８ｃ、を有する。システムコントローラ２０２がビューファインダ２１８の動作を許可（観察動作を許可）している場合、システムコントローラ２０２は撮像素子２０４から所定フレームレートで画像データを取得し、表示素子駆動回路２ｄ２１８ａへ送信する。表示素子駆動回路２ｄ２１８ａはこの画像データに基づきライブビュー（Live View）をＥＶＦ表示素子２１８ｂ上へ表示する。ユーザは、接眼レンズ２１８ｃを利用してこの表示を観察できる。システムコントローラ２０２がビューファインダ２１８の動作を禁止（観察動作を禁止）している場合、システムコントローラ２０２は、ＥＶＦ表示素子２１８ｂの表示がなされないようにする。この方法としては、表示素子駆動回路２ｄ２１８ａ或はＥＶＦ表示素子２１８ｂの動作を止めること、表示素子駆動回路２ｄ２１８ａへの画像データの送信を止めること、ＥＶＦ表示素子２１８ｂがバックライトを有する表示素子であればバックライトを消すこと、等が考えられる。ビューファインダ２１８で消費される電力が減少し、被写体像の観察が出来ない状態に設定できる方法ならばいずれの方法を選択してもよい。
【００２５】
背面表示部２２２は、撮影装置２００の背面側の筐体表面に配置され、光学系（接眼レンズ）を用いることなくその表示を観察が可能である。背面表示部２２２は、表示素子駆動回路１ｄ２２２ａ、表示素子１ｄ２２２ｂ、タッチパネルｄ２２２ｃ、タッチパネル駆動回路ｄ２２２ｅ、を有する。システムコントローラ２０２が背面表示部２２２の動作を許可（観察動作を許可）している場合、システムコントローラ２０２は撮像素子２０４から所定フレームレートで画像データを取得し、表示素子駆動回路１ｄ２２２ａへ送信する。表示素子駆動回路１ｄ２２２ａはこの画像データに基づきライブビュー（live View）を表示素子１ｄ２２２ｂ上へ表示する。ユーザは、この表示動作によって被写体像を観察できる。システムコントローラ２０２が背面表示部２２２の動作を禁止（観察動作を禁止）している場合、システムコントローラ２０２は、表示素子１ｄ２２２ｂの表示が出来ないようにする。この方法としては、表示素子駆動回路１ｄ２２２ａ或は表示素子１ｄ２２２ｂの動作を止めること、表示素子駆動回路１ｄ２２２ａへの画像データの送信を止めること、表示素子１ｄ２２２ｂがバックライトを有する表示素子であればバックライトを消すこと、等が考えられる。すなわち背面表示部２２２で消費される電力が減少し、被写体像の観察が出来ない状態に設定できる方法ならばいずれの方法を選択してもよい。
【００２６】
表示素子１ｄ２２２ｂ上にはタッチパネルｄ２２２ｃが配置され、タッチパネルｄ２２２ｃが指やスタイラスペン（stylus pen）等によってタッチされると、タッチパネル駆動回路ｄ２２２ｅがこのタッチ位置を検出する。
【００２７】
システムコントローラ２０２は接眼検出部２２０の出力に基づきユーザがビューファインダ２１８を使用しているか否かを判断する（正確に言えば、接眼検出部２２０は、ユーザを検出している訳ではない。単なる物体ｏｂｊを検出しているにすぎない）。システムコントローラ２０２は、ユーザがビューファインダ２１８を使用していると判断した場合、ビューファインダ２１８の動作を許可し、背面表示部２２２の動作を禁止する。システムコントローラ２０２は、ユーザがビューファインダ２１８を使用していないと判断した場合、ビューファインダ２１８の動作を禁止し、背面表示部２２２の動作を許可する。接眼検出部２２０の動作の詳細は後述する。
【００２８】
メモリカードｄ２２４には撮影装置２００で撮影された画像データから生成された動画のファイル或は静止画のファイル等が所定フォーマットで記憶される。ワークメモリｄ２２６は、一時的にデータを保管するための記憶領域として使われる。例えば、この記憶領域は画像処理動作において使用される。不揮発性メモリｄ２２８は、システムコントローラ２０２によって実行されるプログラムコード、制御パラメータ等が記憶されている。接眼検出部２２０の検出感度（検出距離）を決定するパラメータは、制御パラメータに含まれる。
【００２９】
図３は、図２に示された撮影装置２００の変形例を示している。
【００３０】
図３において、図２上の構成要素と同じ機能を有する構成要素は同じ名称を付されている。同じ名称を有した構成要素に関する説明は省略され、異なる名称を有した構成要素のみが説明される。図２に開示されたビューファインダ２１８はＥＶＦであり、図３に開示されるビューファインダ２１７は、光学的に被写体像を観察可能なＯＶＦ（Optical View Finder）である。ビューファインダ２１７は、可動ミラー２１７ａ、フォーカシングスクリーン（focusing screen）２１７ｂ、正立プリズム２１７ｃ、接眼レンズ２１７ｄ、を有する。可動ミラー２１７ａは、第一の位置（撮影レンズの光路外）と第二の位置（撮影レンズの光路中）に設定可能である。図３に開示された可動ミラー２１７ａの位置は第二の位置を示す。ミラー駆動部２３２はこの設定動作のため可動ミラー２１７ａを駆動する。可動ミラー２１７ａが第一の位置に設定されると、被写体像は撮像素子２０４上形に成され、被写体像の画像データとして取得できる。すなわち背面表示部２２２の動作を許可する場合、可動ミラー２１７ａは第一の位置に設定されなければならない。可動ミラー２１７ａが第二の位置に設定されると、被写体像はフォーカシングスクリーン２１７ｂ上に形成される。ユーザはこの被写体像を正立プリズム２１７ｃと接眼レンズ２１７ｄを介して観察できる。すなわちビューファインダ２１７の動作を許可する場合、可動ミラー２１７ａは第二の位置に設定されなければならない。システムコントローラ２０２は接眼検出部２２０の検出結果に応じて可動ミラー２１７ａの位置を制御する。
【００３１】
図４は接眼検出部２２０の詳細を説明するためのブロック構成図である。
【００３２】
接眼検出部２２０は、ホトダイオード２２０ａ、発光ダイオード２２０ｂ、増幅回路２２０ｃ、比較回路２２０ｄ、基準電圧設定回路２２０ｅ、インターフェース回路２２０ｆ、ＬＥＤ駆動回路２２０ｇ、電源回路２２０ｈ、を有する。接眼検出部２２０のセンサ部は、発光ダイオード２２０ｂとホトダイオード２２０ａとから構成される。発光ダイオード２２０ｂからの発光された赤外線は、物体ｏｂｊが存在すれば反射して、ホトダイオード２２０ａへ受光される。ＬＥＤ駆動回路２２０ｇによって発光ダイオード２２０ｂは駆動され、駆動条件はインターフェース回路２２０ｆによって設定される。ホトダイオード２２０ａが物体ｏｂｊからの赤外線の反射光を受光すると、電気信号へ変換され増幅回路２２０ｃへ入力される。電気信号は増幅され受光信号として比較回路２２０ｄへ入力される。比較回路２２０ｄは基準電圧設定回路２２０ｅからの比較信号（基準電圧）と受光信号を比較する。比較結果が物体ｏｂｊの存在を示している場合は、検知信号（ＤＥＴＥＣＴ）が生成され、この信号はシステムコントローラ２０２内の割込み検知回路２０２ｂへ入力される。基準電圧設定回路２２０ｅが生成する比較信号の出力値はインターフェース回路２２０ｆから設定される。インターフェース回路２２０ｆとシステムコントローラ２０２中の通信回路２０２ｃはシリアル通信ライン（ＣＬＫ、ＤＡＴＡ）で接続されている。ＬＥＤ駆動回路２２０ｇ及び基準電圧設定回路２２０eの動作条件は、接眼検出部の動作開始時に、システムコントローラ２０２から送信される。これらの動作条件（調整データ）は制御パラメータとして不揮発性メモリｄ２２８に記憶されている。
【００３３】
接眼検出部２２０のセンサ部は撮影装置２００の筐体の背面であって筐体の表面と略同じ高さに配置される。従って接眼検出部２２０が検知できる物体ｏｂｊの距離Ｌは、筐体表面と物体ｏｂｊの表面までの距離とみなせる。この距離Ｌを、物体ｏｂｊと撮影装置２００（背面表示部２２２、接眼検出部２２０）との距離と定義する。物体ｏｂｊの存在を検出できる距離Ｌは、例えば、明視距離（distance of distinct vision）の１／３倍の値に設定される。明視距離の値は２５〜３０ｃｍである。正常な視力のユーザが背面表示２２２を観察する際に、明視距離より近くに顔を近づけて観察することは無い。しかし視力が弱いユーザは、明視距離より顔を近づけて観察することがある。このようなユーザによる観察中も背面表示部２２２の表示動作は維持されるべきである。従ってこの点を考慮して距離Ｌの値は設定されなければならない。そこで、接眼検出部２２０は、この距離Ｌを所望の値となるように調整できる機能を有し、ＬＥＤ駆動回路２２０ｇの動作条件と基準電圧設定回路２２０eの動作条件とは、調整可能である。制御パラメータを利用して２つの動作条件の一方或は双方を調整することで上記目的は達成される。
【００３４】
システムコントローラ２０２は、動作モードに応じて物体ｏｂｊの検出動作を禁止する。この方法は、接眼検出部２２０の動作を直接的に禁止する方法と間接的に禁止する方法が存在する。一方の方法を実施するにせよ、双方の方法を実施するにせよ、接眼検出部２２０の動作を禁止していることになる。本考案においてこれらは、すべて同じものとみなす。
【００３５】
直接的に禁止する方法とは、接眼検出部２２０が検知信号（ＤＥＴＥＣＴ）を生成出来ないようにすること或は出力出来ないようにすることである。このため以下の様な処理がなされる。システムコントローラ２０２から所定の制御情報（動作禁止指令）がシリアル通信ラインへ送信される。この制御情報を受信されると、インターフェース回路２２０ｆは接眼検出部２２０の内部回路のすべて或は一部へ動作を禁止する制御信号を出力する。或は、インターフェース回路２２０ｆに接続された電源回路２２０ｈは、接眼検出部２２０へ内部回路への電力供給を制御している。従ってインターフェース回路２２０ｆを介して電源回路２２０ｈを制御することで、すべての内部回路に対する電力供給或は一部の内部回路に対する電力供給を停止できる。この機能を利用することで内部回路のすべて或は一部の動作を禁止できる。
【００３６】
間接的に禁止する方法とは、接眼検出部２２０は検知信号（ＤＥＴＥＣＴ）を生成（出力）するが、システムコントローラ２０２はこの検知信号を検出しない（或はこの検知信号に反応しない）ことである。この方法はシステムコントローラ２０２内部の割込み検知回路２０２ｂの動作を止めることによって可能である。割込み検知回路２０２ｂの動作を止めることで、検知信号が生成されてもＣＰＵ２０２ａへ通知されない。或はＣＰＵ２０２ａが割込み検知回路を使うことなく検知信号を検出している場合、この検出動作を止めればよい。すなわちＣＰＵ２０２ａが周期的に入出力回路２０２ｄの状態を読込む動作（Polling）を止めればよい。
【００３７】
図５は、情報端末３００のブロック構成図を示している。
【００３８】
情報端末しては、例えば、携帯電話としての機能に加えて、インターネット接続機能、ホームページ閲覧機能、電子メール送受信機能、各種アプリケーションソフトの実行機能、等を有した多機能携帯電話が考えられる。
【００３９】
構成要素として、情報端末３００は、プロセッサ３０２、撮像部３０４、角速度検出部３０６、加速度検出部３０８、ＧＰＳ（Global Positioning System）受信回路３１０、ＷＬＡＮ通信回路ｓ３１２、ＮＦＣ（Near Field Communication）通信回路３１４、電話回線通信回路３１６、赤外線ＬＥＤ３１８、赤外線通信回路３２０、電源回路ｓ３２２、バッテリ３２４、充電制御回路３２６、表示部３２８、スマートフォン操作部３３０、メモリカードｓ３３２、ワークメモリｓ３３４、不揮発性メモリｓ３３６、音声処理回路３３８、スピーカ３４０、マイクロフォン３４２、を有する。情報端末３００の構成要素の名称と撮影装置２００の構成要素の名称（図２参照）とが同じになることを防止するために一部の構成要素の名称は“ｓ”が付されている。
【００４０】
プロセッサ３０２は、情報端末３００を統括して制御する制御部である。撮像部３０４は光学系とイメージセンサから構成され被写体像を画像データとして出力する。また撮像装置２００と無線通信する際に必要な通信設定情報は、撮像部３０４から画像データ（バーコードの画像）として取り込まれる。プロセッサ３０２は、この画像データから復号化処理を行うことで通信設定情報（通信パラメータ、制御パラメータ）を取得する。
【００４１】
プロセッサ３０２は、角速度検出部３０６、加速度検出部３０８の出力から情報端末３００の姿勢情報と印加された衝撃情報を取得できる。プロセッサ３０２はＧＰＳ受信回路３１０の出力から情報端末３００の地球上の位置情報を取得する。
【００４２】
ＷＬＡＮ通信回路ｓ３１２を介してプロセッサ３０２は撮影装置２００のシステムコントローラ２０２と無線通信できる。またＷＬＡＮのアクセスポイント（Wireless LAN access point）を介してインターネットに接続際にも利用される。
【００４３】
ＮＦＣ通信回路３１４は、情報端末３００をプリペイドカード或はキャッシュカードとして機能させるときに利用できる。電話回線通信回路３１６は、情報端末３００を携帯電話として機能させる回路である。  赤外線ＬＥＤ３１８と赤外線通信回路３２０は、情報端末３００の近くに存在する他の情報端末と通信する際に利用される。
【００４４】
情報端末３００に内蔵されたバッテリ３２４の出力は、電源回路ｓ３２２により所望の電圧に変換されて情報端末３００内の回路ブロックへ供給される。充電制御回路３２６は、情報端末３００の外部から供給される電力を制御してバッテリ３２４を充電する。
【００４５】
表示部３２８は、表示素子駆動回路ｓ３２８ａ、表示素子ｓ３２８ｂ、タッチパネルｓ３２８ｃ、タッチパネル駆動回路ｓ３２８ｄを有す。撮像装置２００と無線の接続動作を行う際、端末表示部３２８に撮像部３０４から取得された通信設定情報が表示される。撮影装置２００を遠隔操作するソフトが起動すると、表示部３２８は、撮影装置を操作するＧＵＩ（Graphical User Interface）として利用される。ユーザは画面に表示される部材（仮想の操作ＳＷ）をタッチすることで撮影装置２００を遠隔操作できる。スマートフォン操作部３３０は、撮影指令ＳＷ３３０ａ、電源ＳＷ３３０ｂ等を有する。ユーザは、情報端末３００を撮影装置として機能させて画像データを取得する際に、撮影指令ＳＷ３３０ａを操作する。
【００４６】
メモリカードｓ３３２には、電話帳に関する情報、画像データ、電子メールに関する情報、インターネットからダウンロードされたコンテンツ等が記憶されている。ワークメモリｓ３３４は、不揮発性メモリｓ３３６に記憶されたソフトを実行するための領域、データ処理動作（画像処理、音声処理、等）に必要な一時的データ記憶領域、等に用いられる。
【００４７】
情報端末３００を携帯電話として機能させる際、音声処理回路３３８、スピーカ３４０、マイクロフォン３４２は利用される。電話回線通信回路３１６から受信された音声信号は、音声処理回路３３８で復号化処理されスピーカ３４０から音声として出力される。ユーザの音声はマイクロフォン３４２から入力され音声処理回路３３８で符号化され電話回線通信回路３１６から送信される。
【００４８】
図６は、システムコントローラ２０２が実行するメインルーチンを示すフローチャートである。システムコントローラ２０２（ＣＰＵ２０２ａ）が不揮発性メモリｄ２２８に記憶されたプログラムコードを実行することで、メインルーチンの各動作ステップが実行される。
【００４９】
電源ＳＷ２１０ｂがＯＮされるとシステムコントローラ２０２は動作を開始する。Ｓ１００においてシステムコントローラ２０２は、システム初期設定動作を行う。Ｓ１０２においてシステムコントローラ２０２は、接眼検出部２２０へ動作開始を指示する情報、上述した制御パラメータ等を送信する。さらにシステムコントローラ２０２は割込み検知回路２０２ｂの検出動作を許可する。これら処理によって物体ｏｂｊの検出動作が可能となる。
【００５０】
Ｓ１０４においてシステムコントローラ２０２は、ユーザの観察状態の変化の有無を判断する。システムコントローラ２０２は、観察状態の変化が有るとＳ１０６へ処理を移し、観察状態の変化が無いとＳ１１２へ動作を移す。観察状態の変化は、接眼検出部２２０から出力される検知信号（ＤＥＴＥＣＴ）の状態に基づき判断される。
【００５１】
Ｓ１０６においてシステムコントローラ２０２は、第一の観察手段（背面表示部２２２）が動作中か第二の観察手段（ビューファインダ２１８）が動作中か判断する。第二の観察手段が動作中ならば、Ｓ１０８においてシステムコントローラ２０２は、背面表示部２２２の動作を許可し、ビューファインダ２１８の動作を禁止する。すなわち使用可能な観察手段は第二の観察手段から第一の観察手段へ変化する。第一の観察手段が動作中ならば、Ｓ１１０においてシステムコントローラ２０２は、ビューファインダ１１８の動作を許可し、背面表示部２２２の動作を禁止する。すなわち使用可能な観察手段は第一の観察手段から第二の観察手段へ変化する。
【００５２】
Ｓ１０４〜Ｓ１１０の処理ステップは、システムコントローラ２０２が接眼検出部２２２の検知結果に応じてビューファインダ２１８と背面表示部２２２を用いた観察動作の禁止と許可を制御することを開示している。Ｓ１０４〜Ｓ１１０の処理ステップは、ビューファインダ２１８をビューファインダ２１７（図３参照）と置き換えても成立することは明らかである。
【００５３】
Ｓ１１２においてシステムコントローラ２０２は、無線モード設定・解除ＳＷ２１０ｃの操作の有無を判断する。システムコントローラ２０２は、操作が検出されると処理Ｓ１１４へ動作を移し、操作が検出されないと処理Ｓ１２４へ動作を移す。
【００５４】
Ｓ１１４においてシステムコントローラ２０２は、現在の動作モードの設定状態を判定し、通常モード中ならばＳ１１６へ動作を移し、無線モード中ならばＳ１２０へ動作を移す。無線モード中に無線モード設定・解除ＳＷ２１０ｃが操作された場合、この操作は無線モードの解除を意味する。通常モード中（無線モード以外の動作モード中）に無線モード設定・解除ＳＷ２１０ｃが操作された場合、この操作は無線モードの設定（選択）を意味する。本実施例では、無線モードの設定と解除を行うための専用ＳＷを設けている。しかしカメラ操作部２１０が有する他の操作ＳＷを用いても良い。
【００５５】
Ｓ１１６においてシステムコントローラ２０２は、撮影装置２００の動作モードとして無線モードを設定し、Ｓ１１８においてサブルーチン“通信接続処理“を実行する。このサブルーチンにおいて撮影装置２００と情報端末３００との通信回線の接続するための処理（通信回線を開くための処理）が行われる。サブルーチンの動作は後述する。
【００５６】
Ｓ１２０においてシステムコントローラ２０２は、設定中の無線モードを解除し、Ｓ１２２においてＷＬＡＮ通信回路ｄ２１６の動作を停止する。この処理によって撮影装置２００と情報端末３００との通信回線は切断される。
【００５７】
Ｓ１２４においてシステムコントローラ２０２は、撮影開始の指令の有無を判断する。システムコントローラ２０２は、この指令が有るとＳ１２６へ動作を移し、この指令が無いとＳ１３２へ動作を移す。通常モードにおける撮影開始の指令は、レリーズＳＷ２１０ａの操作によって生成される。すなわちこのＳＷの操作によって静止画撮影動作（或は動画撮影動作）が実行される。無線モードにおける撮影開始の指令は、このＳＷ操作と外部機器（情報端末３００）から送信される撮影開始信号とから生成される。
【００５８】
Ｓ１２６においてシステムコントローラ２０２は、所定の条件で撮像素子２０４を露光して画像データを取得し、このデータから画像ファイルを生成し、このファイルをメモリカードｄ２２４へ記録する。システムコントローラ２０２は、Ｓ１２８において情報端末３００との通信が可能か判断し、通信可能ならば、Ｓ１３０において画像ファイルを情報端末３００へ送信する。
【００５９】
Ｓ１３２においてシステムコントローラ２０２は、電源ＳＷ２１０ｂのＯＮ状態を検出した場合はＳ１０４へ動作を移し、電源ＳＷ２１０ｂのＯＦＦ状態を検出した場合はＳ１３４へ動作を移す。Ｓ１３４においてシステムコントローラ２０２は、撮影装置２００の動作を停止するための処理を行う。この処理によって撮影装置２００の動作は停止する。
【００６０】
図７及び図８を用いて、システムコントローラ２０２が実行するサブルーチン“通信接続処理”の動作を説明する。システムコントローラ２０２（ＣＰＵ２０２ａ）が不揮発性メモリｄ２２８に記憶されたプログラムコードを実行することで、サブルーチンの各動作ステップが実行される。図８は、サブルーチン実行中に背面表示部２２２に表示される表示形態を示す。
【００６１】
Ｓ２００においてシステムコントローラ２０２は、接眼検出部２２０の動作を禁止する。この禁止方法についてはすでに説明した。この動作がなされると、背面表示部２２２を撮影するために情報端末３００を撮影装置２００へ近づけても背面表示部２２２の表示は維持され、表示は消え無い。
【００６２】
Ｓ２０２においてシステムコントローラ２０２は、ＷＬＡＮ通信回路ｄ２１６の通信動作を許可し、情報端末３００からの通信パラメータに基づく信号が受信されるまで待機する。
【００６３】
Ｓ２０４においてシステムコントローラ２０２は、背面表示部２２２へ通信設定情報を二つの表示形態で表示する。通信設定情報は、第一の表示形態において文字情報として表示され、第二の表示形態においてバーコードの画像として表示される。図８の画面１０上の文字１１が第一の表示形態に対応し、画像１２が第二の表示形態に対応する。情報端末３００は、画像１２を撮影し、撮影されたバーコードに対して復号化処理を実行し、通信設定情報を取得する。通信設定情報には通信パラメータ（ＳＳＩＤ、暗号化ＫＥＹ）が含まれる。通信パラメータはＥＥＰＲＯＭ２３０に記憶されている。システムコントローラ２０２は、バーコードを生成（符号化処理）するに際し、通信パラメータをＷＬＡＮ通信回路ｄ２１６と通信してＥＥＰＲＯＭ２３０から読み出す。通信設定情報には、撮影装置２００を遠隔操作する際に必要な制御パラメータも含まれる。制御パラメータとしては、撮影装置２００の機種を特定するための機種情報、不揮発性メモリｄ２２８に記憶されているソフトウエアのバージョン情報等が含まれる。通信設定情報は、少なくとも通信パラメータを含まなければならない。しかし制御パラメータは、情報端末３００で実行されるソフトに依存する情報であるため、必要に応じて通信設定情報として設定される。より安全に通信設定情報を情報端末３００へ設定するために、通信パラメータと制御パラメータは暗号化した後にバーコードへ符号化しても良い。
【００６４】
通信設定情報を文字情報として表示することによって、ユーザが容易に情報を認識できる。情報端末３００が必ずバーコード情報の読取り機能（復号化機能）を有しているとは限らない。このような情報端末３００とって、文字情報の表示は利点になるかもしれない。なぜなら、情報端末３００が光学文字認識ＯＣＲ（Optical Character Recognition）機能を有していれば、情報端末３００は文字１１を撮影することで通信設定情報を取得できる。
【００６５】
通信設定情報の取得に成功した情報端末３００は、ＷＬＡＮ通信回路ｓ３１２を制御して通信動作を開始する。Ｓ２０６においてシステムコントローラ２０２は、情報端末３００からの送信信号の有無を判断し、この送信信号が検出（受信）されるまで待機する。通信パラメータに基づく信号が検出されると、システムコントローラ２０２は、情報端末３００を認証し、撮影装置２００と情報端末３００の間にＷＬＡＮの通信回線を開く。Ｓ２０８においてシステムコントローラ２０２は、通信回線の設定動作が終了したことをユーザへ告知する。すなわち背面表示部２２２へは図８の表示２０のごときメッセージと画像が表示される。表示２０上の“ＸＸＸＸ”には情報端末３００を識別する情報（例えばユーザが情報端末３００に設定した機器名称）が表示される。
【００６６】
Ｓ２１０においてシステムコントローラ２０２は、サーバー（遠隔制御ソフト）を起動する。このサーバーはウェブサーバー（Web Saber）のごとく振る舞い、情報端末３００で起動されるブラウザ（browser）からの制御コマンドを受信して所定の動作を行う。すなわち情報端末３００によって撮影装置２００は遠隔操作可能な状態となる。そしてシステムコントローラ２０２は、サーバーの起動が終了したことをユーザへ告知する。すなわち背面表示部２２２へは図８の表示３０のごときメッセージが表示される。
【００６７】
Ｓ２１２においてシステムコントローラ２０２は、通信回線を介して情報端末３００へライブビュー画像を送信する動作を開始する。この動作は、通信回線が有効な期間は継続される。従ってユーザは、情報端末３００の表示部３２８から撮影装置２００で観察できる被写体像と同様の被写体像を観察できる。
【００６８】
Ｓ２１４においてシステムコントローラ２０２は、接眼検出部２２０の動作を許可する。そして背面表示部２２２の表示形態は、当サブルーチンが実行される前の状態へ戻される。通常はライブビュー表示が再開される。そしてメインルーチンへ動作が戻る。
【００６９】
上記説明において、少なくとも通信回線の設定が終了するまでの間、接眼検出部２２０の動作は禁止し、背面表示部２２２の表示動作は維持される。無線モード中でもビューファインダ２１８を利用可能にするためである。しかしながら無線モード中、情報端末３００の表示部３２８はビューファインダ２１８の代用として利用できる。したがって、無線モードの選択中は接眼検出部２２０の動作を禁止し続けても良い。すなわち無線モードが選択された時点で接眼検出部２２０の動作を禁止し、無線モードの選択が解除された時点で接眼検出部２２０の動作を許可する。このような動作も本考案の趣旨から逸脱しない。
【００７０】
以上に開示された実施例の前提条件は、情報端末３００が撮影装置２００の通信設定情報を撮影動作により取得することである。しかし他の前提条件においても本考案は有効である。
【００７１】
撮影装置２００へ近接通信回路を付加すれば、撮影装置２００は情報端末３００のＮＦＣ通信回路３１４と通信動作が出来る。すなわち近接通信を利用した通信設定情報の設定が可能となる。ＮＦＣ通信回路３１４の通信動作を有効とするため、情報端末３００は撮影装置２００と接触するくらい近づく（或は接触する）必要がある。従って、近接通信を利用した通信設定情報の取得動作にも接眼検出部２２０の動作を禁止することが望ましい。ユーザが通信設定情報を取得するために情報端末３００を撮影装置２００へ近づけた際に、背面表示部２２２の表示が消えることは望ましくない。背面表示部２２２の表示が突然消えると、この予測できない現象に対して、ユーザは無用な不安を抱く虞がある。また通信設定情報の表示は、ユーザが情報端末３００に正しく情報が設定されたか確認するために必要である。従ってこの場合も接眼検出部２２０の動作を禁止することが望ましい。すなわち本考案は、他の前提条件（情報端末３００が近接無線通信を用いて通信設定情報を取得する）においても有効である。
【産業上の利用可能性】
【００７２】
以上に開示された実施例は、本考案の一実施形態を開示したものである。実用新案登録請求の範囲によって規定される技術思想の範囲で実施例は様々な設計変更をしても良い。
【符号の説明】
【００７３】
２００・・・撮影装置、２０２・・・システムコントローラ、２０４・・・撮像素子、２０６・・・シャッタ、２０８・・・シャッタ駆動部、２１０・・・カメラ操作部、２１２・・・コネクタ、２１４・・・電源回路ｄ、２１６・・・ＷＬＡＮ通信回路ｄ、２３０・・・ＥＥＰＲＯＭ、２１８・・・ビューファインダ、２２０・・・接眼検出部、２２２・・・背面表示部、２２４・・・メモリカードｄ、２２６・・・ワークメモリｄ、２２８・・・不揮発性メモリｄ、
２１０ａ・・・レリーズＳＷ、２１０ｂ・・・電源ＳＷ、２１０ｃ・・・無線モード設定・解除ＳＷ、２１０ｄ・・・十字ＳＷ、２１８ａ・・・表示素子駆動回路２ｄ、２１８ｂ・・・ＥＶＦ表示素子、２１８ｃ・・・接眼レンズ、２２０ａ・・・ホトダイオード、２２０ｂ・・・発光ダイオード、２２０ｃ・・・増幅回路、２２０ｄ・・・比較回路、２２０ｅ・・・基準電圧設定回路、２２０ｆ・・・インターフェース回路、２２０ｇ・・・ＬＥＤ駆動回路、２２０ｈ・・・電源回路、２２２ａ・・・表示素子駆動回路１ｄ、２２２ｂ・・・表示素子１ｄ、２２２ｃ・・・タッチパネルｄ、２２２ｅ・・・タッチパネル駆動回路ｄ、
１００・・・交換レンズ、１０２・・・レンズコントローラ、１０４・・・レンズ操作部、１０６・・・レンズ駆動部、１０８・・・絞り駆動部、１１０・・・絞り、１１２・・・撮影レンズ、                                                                                
【図１】
0003182125.tif 000003
【図２】
0003182125.tif 000004
【図３】
0003182125.tif 000005
【図４】
0003182125.tif 000006
【図５】
0003182125.tif 000007
【図６】
0003182125.tif 000008
【図７】
0003182125.tif 000009
【図８】
0003182125.tif 000010